(57)【要約】  【課題】  金網フェンスの格子部に木材を容易且つ確実に取り付けることができる金網フェンス用取付具を提供する。  【解決手段】  格子状に交差する複数の縦棒５１および横棒５２を備える金網フェンス５０に木材６０を取り付けるための金網フェンス用取付具１であって、隣接する複数の横棒５２に当接する当接部材１０と、当接部材１０および木材６０に形成された挿入孔１０ａ，６０ａに挿通されて木材６０を横棒５２に固定する締結具２０とを備える。【選択図】  図１
2020186643.tif 000002
【特許請求の範囲】
【請求項１】
格子状に交差する複数の縦棒および横棒を備える金網フェンスに木材を取り付けるための金網フェンス用取付具であって、
隣接する複数の前記横棒または縦棒に当接する当接部材と、
前記木材および当接部材に形成された挿入孔に挿通されて前記木材を前記横棒または縦棒に固定する締結具とを備える金網フェンス用取付具。
【請求項２】
前記当接部材は、当接する複数の前記横棒または縦棒とそれぞれ係合する複数の係合部が形成されている請求項１に記載の金網フェンス用取付具。
【請求項３】
前記係合部は、前記当接部材の両端部を屈曲させて形成されている請求項２に記載の金網フェンス用取付具。
【請求項４】
前記係合部は、前記当接部材に形成された溝部を備える請求項２に記載の金網フェンス用取付具。
【請求項５】
前記当接部材は、前記木材と同じ材料からなる帯板状に形成されている請求項１から４に記載の金網フェンス用取付具。
【請求項６】
請求項１から５のいずれかに記載の金網フェンス用取付具を用いて、格子状に交差する複数の縦棒および横棒を備える金網フェンスに木材が取り付けられた装飾フェンス。
【発明の詳細な説明】
【技術分野】
【０００１】
本発明は、金網フェンス用取付具および装飾フェンスに関し、より詳しくは、金網フェンスに木材を取り付けるための金網フェンス用取付具、および、これを用いた装飾フェンスに関する。
【背景技術】
【０００２】
従来のフェンスとして、金網フェンスに木材を取り付けた構成が知られている。例えば、特許文献１に開示されたフェンスは、金網フェンスの上下の胴縁および支柱を、間伐材からなるカバー部材により覆うことで、間伐材の有効利用と景観の向上が図られている。
【先行技術文献】
【特許文献】
【０００３】
【特許文献１】特開２０１４−４３７０５号公報
【発明の概要】
【発明が解決しようとする課題】
【０００４】
ところが、上記従来のフェンスは、金網フェンスの格子部を取り囲む胴縁および支柱に沿って間伐材が取り付けられる一方、格子部には間伐材を取り付けることができないため、木材を利用して金網フェンスの全体に模様や目隠し等を施す用途には適していない。
【０００５】
そこで、本発明は、金網フェンスの格子部に木材を容易且つ確実に取り付けることができる金網フェンス用取付具の提供を目的とし、更に、この金網フェンス用取付具を用いて木材による装飾効果を高めることができる装飾フェンスの提供を目的とする。
【課題を解決するための手段】
【０００６】
本発明の前記目的は、格子状に交差する複数の縦棒および横棒を備える金網フェンスに木材を取り付けるための金網フェンス用取付具であって、隣接する複数の前記横棒または縦棒に当接する当接部材と、前記木材および当接部材に形成された挿入孔に挿通されて前記木材を前記横棒または縦棒に固定する締結具とを備える金網フェンス用取付具により達成される。
【０００７】
この金網フェンス用取付具において、前記当接部材は、当接する複数の前記横棒または縦棒とそれぞれ係合する複数の係合部が形成されていることが好ましい。
【０００８】
前記係合部は、前記当接部材の両端部を屈曲させて形成することができる。あるいは、前記係合部は、前記当接部材に形成された溝部を備えることができる。
【０００９】
前記当接部材は、前記木材と同じ材料からなる帯板状に形成することができる。
【００１０】
また、本発明の前記目的は、上記の金網フェンス用取付具を用いて、格子状に交差する複数の縦棒および横棒を備える金網フェンスに木材が取り付けられた装飾フェンスにより達成される。
【発明の効果】
【００１１】
本発明の金網フェンス用取付具によれば、金網フェンスの格子部に木材を容易且つ確実に取り付けることができる。また、本発明の装飾フェンスによれば、木材による装飾効果を高めることができる。
【図面の簡単な説明】
【００１２】
【図１】本発明の一実施形態に係る金網フェンス用取付具により木材を金網フェンスに取り付けた状態を示す図であり、（ａ）は要部正面図、（ｂ）は（ａ）のＡ−Ａ断面図である。
【図２】図１に示す金網フェンス用取付具を用いた木材の他の取り付け状態を示す断面図である。
【図３】本発明の他の実施形態に係る金網フェンス用取付具により木材を金網フェンスに取り付けた状態を示す図であり、（ａ）は要部正面図、（ｂ）は（ａ）のＢ−Ｂ断面図である。
【図４】本発明の更に他の実施形態に係る金網フェンス用取付具により木材を金網フェンスに取り付けた状態を示す図であり、（ａ）は要部正面図、（ｂ）は（ａ）のＣ−Ｃ断面図である。
【図５】図４に示す金網フェンス用取付具を用いた木材の他の取り付け状態を示す断面図である。
【図６】本発明の更に他の実施形態に係る金網フェンス用取付具により木材を金網フェンスに取り付けた状態を示す図であり、（ａ）は要部正面図、（ｂ）は（ａ）のＤ−Ｄ断面図である。
【図７】本発明の更に他の実施形態に係る金網フェンス用取付具により木材を金網フェンスに取り付けた状態を示す図であり、（ａ）は要部正面図、（ｂ）は（ａ）のＥ−Ｅ断面図である。
【図８】本発明の更に他の実施形態に係る金網フェンス用取付具により木材を金網フェンスに取り付けた状態を示す図であり、（ａ）は要部平面図、（ｂ）は要部正面図、（ｃ）は要部側面図である。
【図９】図８に示す金網フェンス用取付具を用いた木材の他の取り付け状態を示す図であり、（ａ）は要部平面図、（ｂ）は要部正面図、（ｃ）は要部側面図である。
【図１０】本発明の更に他の実施形態に係る金網フェンス用取付具により木材を金網フェンスに取り付けた状態を示す要部断面図である。
【図１１】本発明の更に他の実施形態に係る金網フェンス用取付具により木材を金網フェンスに取り付けた状態を示す要部断面図である。
【発明を実施するための形態】
【００１３】
以下、本発明の実施の形態について、添付図面を参照して説明する。図１は、  本発明の一実施形態に係る金網フェンス用取付具により木材を金網フェンスに取り付けた状態を示す図であり、図１（ａ）は要部正面図、図１（ｂ）は図１（ａ）のＡ−Ａ断面図である。図１（ａ）および（ｂ）に示すように、金網フェンス５０には、金網フェンス用取付具１によって木材６０が取り付けられており、１または複数の木材６０を金網フェンス５０の所望の位置に取り付けることにより、装飾フェンスが構成されている。
【００１４】
金網フェンス５０は、互いに交差する複数の縦棒５１および横棒５２によって形成される格子部を備えており、設置面に固定された支柱（図示せず）によって格子部の左右両側が支持されている。格子部の上下には、支柱間に固定されて格子部を支持する上胴縁および下胴縁（いずれも図示せず）が形成されている。
【００１５】
金網フェンス５０に取り付けられる木材６０の種類、形状、大きさ等は特に限定されないが、本実施形態においては、国産木材等からなる帯板状の木材６０を縦棒５１に沿って配置している（図１では木材６０の上下方向の一部のみを示している）。木材６０は、予め高熱乾燥処理を施す等して、耐腐性を向上させたものを使用することが好ましい。木材６０には、金網フェンス５０に固定される１または複数の箇所に、取付用の挿入孔６１が形成される（図１では１つの挿入孔６１のみを示している）。
【００１６】
金網フェンス用取付具１は、当接部材１０および締結具２０を備えている。当接部材１０は、ステンレス等からなる細板状に形成されており、長手方向中央に取付用の挿入孔１１が形成されている。当接部材１０の長手方向両端部には、同方向に屈曲することによって複数の係合部１２が設けられている。複数の係合部１２は、上下に隣接する複数の横棒５２にそれぞれ係合可能である。
【００１７】
締結具２０は、ボルト２１およびナット２２を備えている。ボルト２１は、例えば六角穴付きのボタンボルトを使用することができ、ナット２２は、例えばボルト２１の先端部に螺合する袋ナットを使用することができる。図１においては、金網フェンス５０の表側（縦棒５１側）に当接部材１０を配置すると共に、金網フェンス５０の裏側（横棒５２側）に木材６０を配置して、表側から当接部材１０および木材６０の挿入孔１１，６１にボルト２１を挿通し、ボルト２１の先端にナット２２を取り付けることにより、木材６０が金網フェンス５０の格子部に固定されている。
【００１８】
木材６０は、図２に示すように、金網フェンス５０の表側に取り付けることも可能であり、この場合には、金網フェンス５０の裏側に当接部材１０を配置して、表側から木材６０にボルト２１を挿通し、金網フェンス５０の裏側でナット２２を取り付けることができる。複数の木材６０を並列配置する場合には、金網フェンス５０に対する木材６０の取り付け位置を、並列方向に沿って交互に表裏にすることが可能であり、これによって、隣接する木材６０間を風が通過し易くなるため、強風時における損傷や倒壊を抑制することができる。
【００１９】
本実施形態の金網フェンス用取付具１によれば、金網フェンス５０が備える複数の横棒５２を利用して、金網フェンス５０の格子部における装飾や目隠し等を施したい所望の箇所に、木材６０を容易且つ確実に取り付けることができる。但し、金網フェンス用取付具１は、金網フェンス５０が備える複数の縦棒５１に当接部材１０を当接させて、木材６０を取り付け可能に構成してもよい（後述する各実施形態においても同様）。
【００２０】
図３は、本発明の他の実施形態に係る金網フェンス用取付具により木材を金網フェンスに取り付けた状態を示す図であり、図３（ａ）は要部正面図、図３（ｂ）は図３（ａ）のＢ−Ｂ断面図である。図３に示す構成において、図１と同様の構成部分には同一の符号を付して、詳細な説明を省略する（以下の図においても同様）。
【００２１】
図３に示すように、左右に延びる帯板状の木材６０を上下に複数並列配置する場合には、各木材６０に対応した複数の挿入孔１１を有する細板状の当接部材１０を、各木材６０を横断するように縦棒５１に沿って配置し、当接部材１０の両端に形成された複数の係合部１２を、複数の横棒５２にそれぞれ係合させることにより、各木材６０を一体的に固定することができる。当接部材１０は、木材６０の長手方向に沿って、適宜の間隔で複数配置してもよい。
【００２２】
図４は、本発明の更に他の実施形態に係る金網フェンス用取付具により木材を金網フェンスに取り付けた状態を示す図であり、図４（ａ）は要部正面図、図４（ｂ）は図４（ａ）のＣ−Ｃ断面図である。
【００２３】
図１および図３に示す当接部材１０は、細板状の両端部を屈曲させて係合部１２が形成されているのに対し、図４に示す当接部材１０は、アルミニウム等からなる厚板により形成されて、一方面に形成された複数の溝部が、それぞれ横棒５２と係合する係合部１２とされている。このように、当接部材１０の厚みをある程度確保することで、当接部材１０の挿入孔１１にタップ加工等によりねじ部を形成することができるので、ナットを使用せずに締結具２０をボルト２１のみにすることができる。ボルト２１は、例えば六角穴付きの皿ボルトを使用することができ、ボルト頭部を木材６０内に埋没させることができる。図４は、木材６０が金網フェンス５０の裏側に取り付けられた状態を示しているが、図５に示すように、木材６０を金網フェンス５０の表側に取り付けることも可能である。
【００２４】
図６は、本発明の更に他の実施形態に係る金網フェンス用取付具により木材を金網フェンスに取り付けた状態を示す図であり、図６（ａ）は要部正面図、図６（ｂ）は図６（ａ）のＤ−Ｄ断面図である。
【００２５】
上記各実施形態の当接部材１０は、複数の横棒５２とそれぞれ係合する複数の係合部１２を備えるのに対し、図６に示す当接部材１０は、係合部１２を備えておらず、複数の横棒５２に当接した状態で、これらの横棒５２を上下で挟むように複数の締結具２０により木材６０に固定される。この構成によっても、木材６０を金網フェンス５０に確実に取り付けることができる。当接部材１０の挿入孔１１は、締結具２０の位置を上下方向で調整できるように、長孔状であることが好ましい。
【００２６】
図７は、本発明の更に他の実施形態に係る金網フェンス用取付具により木材を金網フェンスに取り付けた状態を示す図であり、図７（ａ）は要部正面図、図７（ｂ）は図７（ａ）のＥ−Ｅ断面図である。
【００２７】
図７に示す金網フェンス用取付具１は、金網フェンス５０の上胴縁５３および下胴縁５４を構成する複数の横棒５２を利用して、金網フェンス５０の格子部に木材６０を取り付けることができる。上胴縁５３および下胴縁５４は、円形状に湾曲する縦棒５１の上端部および下端部の内周に沿って、複数の横棒５２が固着されることにより構成されている。
【００２８】
締結具２０は、Ｕ字状のボルト２１と、ボルト２１の両端部に螺合する複数のナット２２，２２とを備えており、上胴縁５３および下胴縁５４をボルト２１の内側に収容して、ボルト２１の両端部を当接部材１０および木材６０の挿入孔１１，６１に挿入し、ナット２２，２２を締め付けることができる。これにより、胴縁５３および下胴縁５４を構成する複数の横棒５２に当接部材１０が当接した状態で、木材６０が金網フェンス５０に固定される。
【００２９】
図８は、本発明の更に他の実施形態に係る金網フェンス用取付具により木材を金網フェンスに取り付けた状態を示す図であり、（ａ）は要部平面図、（ｂ）は要部正面図、（ｃ）は要部側面図である。構成の理解を容易にするため、図８（ｂ）においては、木材６０を透過させて、金網フェンス用取付具１および金網フェンス５０を図示している。
【００３０】
図８に示す金網フェンス用取付具１は、矩形状に形成された板材の一対の長辺部をコ字状に折り曲げることにより当接部材１０が形成されており、当接部材１０の一対の折曲部における左右両側の合計４か所に、金網フェンス５０の縦棒５１と係合する係合部１２が切欠状に形成されている。当接部材１０の中央には貫通孔が形成されており、木材６０に形成された貫通孔との位置合わせを行った状態で、ボルト２１およびナット２２からなる締結具２０により、木材６０を隣接する２つの縦棒５１に固定することができる。金網フェンス用取付具１は、金網フェンス５０の横棒５２の上に載せるように配置することが好ましい。図８は、木材６０が金網フェンス５０の表側に取り付けられた状態を示しているが、図９に示すように、木材６０を金網フェンス５０の裏側に取り付けることも可能である。
【００３１】
図１０は、本発明の更に他の実施形態に係る金網フェンス用取付具により木材を金網フェンスに取り付けた状態を示す要部断面図である。図１０に示す金網フェンス用取付具１は、当接部材１０が木材６０と同じ材料からなり、当接部材１０および木材６０が、金網フェンス５０の縦棒５１および横棒５２を水平方向両側から挟むように配置されて、締結具２０により固定される。当接部材１０および木材６０は、本実施形態では同じ大きさ・形状の帯板状に形成しているが、形状や大きさが互いに相違してもよい。
【００３２】
締結具２０は、ボルト２１およびナット２２を備えている。ボルト２１は、例えば六角穴付きのボタンボルトを使用することができ、水平に配置した当接部材１０および木材６０の挿入孔１１，６１にボルト２１を挿通し、ボルト２１の先端に袋ナット等からなるナット２２を取り付けることにより、木材６０を金網フェンス５０に固定することができる。
【００３３】
図１０に示す金網フェンス用取付具１の締結具２０は、図１１に示すように、ボルト２１およびナット２２をそれぞれ皿ボルトおよび鬼目ナットとして、ナット２２を当接部材１０に埋設することで、ボルト２１の先端が当接部材１０から突出しないように締結することができ、当接部材１０および木材６０の双方の表面を平坦に維持することができる。ナット２２は、木材６０に埋設することも可能であり、当接部材１０にボルト２１を挿通して締結することができる。
【００３４】
上記の各実施形態において、木材６０は、国産木材の間伐材や、木材・プラスチック複合材料からなるＷＰＣ木材などを好適に使用することができる。  木材６０が取り付けられる金網フェンス５０は、起立状態で設置されるものであれば特に限定されず、例えば、フェンス付きのベンチ等であってもよい。
【符号の説明】
【００３５】
１  金網フェンス用取付具
１０  当接部材
１１  挿入孔
１２  係合部
２０  締結具
５０  金網フェンス
５１  縦棒
５２  横棒
６０  木材
６１  挿入孔
【図１】
2020186643.tif 000003
【図２】
2020186643.tif 000004
【図３】
2020186643.tif 000005
【図４】
2020186643.tif 000006
【図５】
2020186643.tif 000007
【図６】
2020186643.tif 000008
【図７】
2020186643.tif 000009
【図８】
2020186643.tif 000010
【図９】
2020186643.tif 000011
【図１０】
2020186643.tif 000012
【図１１】
2020186643.tif 000013